(57)【要約】【課題】リヤカバーに対し土戻しカバーを着脱することなく土戻し姿勢と非土戻し姿勢とに簡単に切り換えると共に、土戻しカバーの土戻し姿勢の掻寄せ角によって、轍跡等の凹溝部に掻寄せた土を埋め戻す耕耘装置の土戻しカバー構造を提供する。【解決手段】走行機体３に設けた昇降機構３ｂに装着され、ロータリ１３の上方及び側方をロータリカバー１５で覆うと共に、該ロータリカバー１５の後部にリヤカバー２０を取付軸１９を介して上下回動可能に連設した耕耘装置１において、前記リヤカバー２０の後部に取付軸２７を介して土戻しカバー２を土戻し姿勢と非土戻し姿勢とに切換可能に設けると共に、該土戻し姿勢において土戻しカバー２を耕起土面に対し略直角又はそれよりやや大きな鈍角状の掻寄せ角αを形成した耕耘装置の土戻しカバー構造にしている。【選択図】　　　　図３
2004073074.tif 000002
【特許請求の範囲】
【請求項１】
走行機体（３）に設けた昇降機構（３ｂ）に装着され、ロータリ（１３）の上方及び側方をロータリカバー（１５）で覆うと共に、該ロータリカバー（１５）の後部にリヤカバー（２０）を取付軸（１９）を介して上下回動可能に連設した耕耘装置（１）において、前記リヤカバー（２０）の後部に取付軸（２７）を介して土戻しカバー（２）を土戻し姿勢と非土戻し姿勢とに切換可能に設けると共に、該土戻し姿勢において土戻しカバー（２）を耕起土面に対し略直角又はそれよりやや大きな鈍角状の掻寄せ角（α）を形成するように構成した耕耘装置の土戻しカバー構造。
【請求項２】
土戻しカバー（２）を、耕耘装置（１）の昇降に伴う浅耕耘作業と深耕耘作業に対応させ、土戻し姿勢と非土戻し姿勢とに自動的に切り換えるように構成した請求項１の耕耘装置の土戻しカバー構造。
【請求項３】
土戻しカバー（２）の側部に側板（２５）を設け、土戻しカバー（２）の土戻し姿勢において、ロータリカバー（１５）のサイドカバー（１６）と側板（２５）を近接させる請求項１又は２記載の耕耘装置の土戻しカバー構造。
【発明の詳細な説明】
【０００１】
【発明の属する技術分野】
本発明は、トラクタ等の走行機体に装着される耕耘装置の土戻しカバー構造に関する。
【０００２】
【従来の技術】
一般に、トラクタの後部に昇降機構を介して装着される耕耘装置は、横軸のロータリ軸に耕耘爪を植設したロータリの上方及び側方をロータリカバーで覆い、該ロータリカバーの後部にリヤカバーを上下回動可能に連設し、該リヤカバーを耕起された耕起土の表面に接地させて土均しを行うようにしている。
従来、このような耕耘装置で圃場の表層を浅く耕耘（浅耕耘作業）するとき、リヤカバーによる土均しのみでは土を掻寄せて戻す土戻し作用が不足することから、リヤカバーの後部に実開昭５６─８９３０３号公報で示される、半円筒状の空胴体（土戻しカバー）を装着することにより、土戻しと土均しを行うものが既に知られている。
【０００３】
【発明が解決しようとする課題】
然し、上記従来の構成による耕耘装置は、リヤカバーに対し浅耕耘作業を行うとき土戻しを行う空胴体を装着し、また深耕耘作業ではこれを取り外し別のリヤカバー部材を装着するので、この着脱作業が面倒で作業が非能率になる等の欠点がある。
また空胴体は半円弧状に形成されているので、浅耕耘作業によって耕起された耕起土を充分に掻寄せることなく後方に逃がし易いものであると共に、土を押し均す作用も不足し、タイヤやクローラ等のラグによって圃場に深く凹溝状に形成されているラグ跡（以下轍跡と言う）を埋めることが困難であり、浅耕耘された圃場に麦等の種子が直播されるような場合に、轍跡に播かれて入り込んだ種子の発芽及び成育が阻害される等の問題がある。
【０００４】
【課題を解決するための手段】
上記課題を解決するために本発明の耕耘装置の土戻しカバー構造は、第１に、走行機体３に設けた昇降機構３ｂに装着され、ロータリ１３の上方及び側方をロータリカバー１５で覆うと共に、該ロータリカバー１５の後部にリヤカバー２０を取付軸１９を介して上下回動可能に連設した耕耘装置１において、前記リヤカバー２０の後部に取付軸２７を介して土戻しカバー２を土戻し姿勢と非土戻し姿勢とに切換可能に設けると共に、該土戻し姿勢において土戻しカバー２を耕起土面に対し略直角又はそれよりやや大きな鈍角状の掻寄せ角αを形成するように構成したことを特徴としている。
【０００５】
第２に、土戻しカバー２を、耕耘装置１の昇降に伴う浅耕耘作業と深耕耘作業に対応させ、土戻し姿勢と非土戻し姿勢とに自動的に切り換えるように構成したことを特徴としている。
【０００６】
第３に、土戻しカバー２の側部に側板２５を設け、土戻しカバー２の土戻し姿勢において、ロータリカバー１５のサイドカバー１６と側板２５を近接させることを特徴としている。
【０００７】
【発明の実施の形態】
本発明の一実施形態を図面に基づいて説明する。図１において符号１は、本発明に係わる土戻しカバー２を有するロータリ式の耕耘装置であり、この耕耘装置１は前側上下に形成した取付部１ａ，１ｂを、トラクタ（走行機体）３のトランスミッション３ａから後部に配置した、３点リンク方式の昇降機構３ｂに構成したヒッチ部３ｃに着脱可能に装着している。
尚、従来のものと同様にヒッチ部３ｃは、下部の両側をリフトアーム３ｄとリフト杆３ｅによって連結されるロアリンク３ｆに支持した状態で、上部をトップリンク３ｇで支持している。３ｈはトランスミッション３ａに軸支される車輪（後輪）である。
【０００８】
また耕耘装置１は、走行機体３ａから伝動軸４によって耕耘伝動ケース５に入力伝動され、該耕耘伝動ケース５はその両側に伝動筒６と支持筒７を設け、該伝動筒６の端部にロータリ伝動ケース９を垂設すると共に、支持筒７の端部にロータリ支持枠１０を垂設して耕耘部機枠を構成している。
そして、ロータリ伝動ケース９とロータリ支持枠１０の下部で、耕耘爪１１をを植設したロータリ軸１２を回転駆動可能に軸架し、ロータリ１３を構成している。
【０００９】
上記ロータリ１３は回転軌跡の上方と側方をロータリカバー１５で覆い、該ロータリカバー１５はその両側に一体的に形成したサイドカバー１６を、前記ロータリ伝動ケース９とロータリ支持枠１０の内側面に取付固定している。またサイドカバー１６の側面には、延長用のサイドカバー１７を後方に向けて着脱可能に延設している。
またロータリカバー１５はその後縁部に取付軸１９を介してリヤカバー２０を上下回動可能に取付け、該リヤカバー２０をロータリカバー１５側の左右に設けたスプリング及び支持杆からなる付勢機構２１を介して付勢支持し、これによりリヤカバー２０の後部湾曲面を下方向けて接地付勢させた状態で、ロータリ１３で耕起される耕起土の後方飛散防止と土均しを行うようにしている。
【００１０】
そして、上記リヤカバー２０はその後縁部に沿った土戻しカバー２を、図１，図２で示す非土戻し姿勢と、図３，図４で示す土戻し姿勢とに切換可能に設けることにより、深耕耘作業と浅耕耘作業とを簡単且つスムースに行うようにしている。
即ち、この土戻しカバー２は平坦面状の戻し面２２と均し面２３を側面視で略直角又はやや鋭角状に屈曲形成し、その両端に側板２５を固着することにより、カバー枠剛性を向上させながら軽量化を図ると共に、土の側方への漏れ出しを阻止する構成にしている。
【００１１】
また上記左右の側板２５は、その基部側をリヤカバー２０の側端に立設した取付ブラケット２６の取付軸２７に回動可能に支持し、該取付ブラケット２６に取付軸２７から離間した上方と前側に穿設した姿勢位置決め用の取付孔２８，２９に対し、側板２５に設けた後述する固定具３０を択一的に挿入固定することにより、土戻しカバー２を図１で示す非土戻し姿勢と図３で示す土戻し姿勢とに切換回動可能にし、土戻し姿勢では前記均し面２３が耕起土に接地した状態で、戻し面２２は略直角又はそれよりやや大きな鈍角状の掻寄せ角αを形成するように構成している。
【００１２】
固定具３０は図５で示すように、側板２５に設けた筒状のホルダ３１内にレバー３２付の固定ピン３３をスライド可能に内挿し、スプリング３５によって係合方向に突出付勢し、固定ピン３３の先端を取付孔２８，２９に択一的に挿入せしめ、土戻しカバー２を非土戻し姿勢と土戻し姿勢とに切り換え支持する構成にしている。
尚、同図の固定具３０は固定ピン３３を取付ブラケット２６の取付孔２８，（２９）から引き抜いた状態を示しており、レバー３２を矢印方向に回動させると固定ピン３３を取付孔２８，（２９）に挿入することができる。
【００１３】
以上のように構成した耕耘装置１は、図１で示すように、土戻しカバー２を非土戻し姿勢に切り換えた状態において深耕耘作業を行う。
このとき、土戻しカバー２はリヤカバー２０の後部上方に反転支持された状態で退避した非土戻し姿勢にあるので、耕耘装置１が昇降機構３ｂによって大きく下降操作されてロータリ１３が圃場を深く耕耘すると、リヤカバー２０は高く盛り上がった耕起土の表面に接地し鋭角状の均し角θを形成し、リヤカバー２０に非土戻し姿勢にある土戻しカバー２の自重を加えながら押し均し、均平作業を精度よく滑らかに行う。
【００１４】
また固定具３０と取付孔２８との固定を解除し、取付軸２７を中心に図３で示す土戻し姿勢に切換回動し位置決め固定をした状態において、例えば圃場の表層を削る程度の浅耕耘作業を行うと、ロータリ１３は同図で示すように浅耕耘作業をし、土戻しカバー２はその耕起土面に均し面２３を接地した状態で、戻し面２２の掻寄せ角αを鈍角状になす。
これにより、機体の進行に伴い戻し面２２は耕起土の表面側の土を掻寄せながら押し均すので、圃場面に轍跡が残置されたまま耕起される場合のような凹溝部に対し、上記掻寄せた土を供給して埋め戻すことができ、また戻された土は均し面２３によって押し均されるから、浅耕耘作業によって耕起された耕起土の均平精度も向上する。
【００１５】
従って、従来のもののように浅耕耘作業によって耕耘した圃場面に残置される轍跡内に、種子が直接的に播かれることがないから、発芽不良や育成不良を防止することができる。
また土戻し姿勢に切り換えられた土戻しカバー２は、その両側に設けた側板２５がサイドカバー１６の延長用のサイドカバー１７に近接させる構成にしているので、両者の隙間からロータリ１３で耕耘された耕起土の側方飛散を防止しながら戻し面２２側に集積させて、土戻し作用を効率よく行うことができる等の特徴がある。尚、サイドカバー１６に延長用のサイドカバー１７を設けない場合には、側板２５はサイドカバー１６に直接的に近接させる。
【００１６】
次に本発明の第２実施形態について図６〜図８を参照し説明する。尚、上記実施形態のものと同様な構成及び作用については説明を省略する。
この耕耘装置１は、ロータリカバー１５に連設されるリヤカバー２０の後端部に、取付軸２７を介して土戻しカバー２を回動可能に連設し、ロータリカバー１５に対しリヤカバー２０と土戻しカバー２を自動切換機構５０によって支持することにより、昇降機構３ｂを介して行われる耕耘装置１の昇降に伴う浅耕耘作業と深耕耘作業に対応し、土戻しカバー２の土戻し姿勢と非土戻し姿勢との切り換えを自動的に行うようにしている。
【００１７】
即ち、土戻しカバー２の自動切換機構５０は、ロータリカバー１５の中央部で上方後方側に向けて円弧状のガイド溝５１を穿設した支持ガイド５２と、該ガイド溝５１と土戻しカバー２の後端部を連結枢支する連結杆５３と、リヤカバー２０から支持ブラケット５５を介して上方後方側に枢支され、連結杆５３の中途部をスライド可能に嵌挿支持する支持部材５６とから構成している。
【００１８】
この構成において、連結杆５３は上部に設けたローラ５７をガイド溝５１内に転動可能に嵌挿し、下部を土戻しカバー２のブラケット５９に設けた連結軸６０に枢支している。（図８）
またガイド溝５１は、土戻しカバー２の上下回動を妨げることなくローラ５７を前後移動させる円弧状の長孔に形成している。
【００１９】
これにより、支持部材５６と連結軸６０で支持される連結杆５３が、土戻しカバー２の上下回動によって支持部材５６を中心に揺動するとき、図６で示す深耕耘作業ではローラ５７はガイド溝５１の前側に移行し、耕耘装置１が上昇した浅耕耘作業ではリヤカバー２０と土戻しカバー２が自重によって下方回動し、土戻しカバー２は略鉛直方向に垂下した土戻し姿勢になって、このときローラ５７は図７で示すようにガイド溝５１の後側に移行する。
【００２０】
従って、耕耘装置１の昇降に伴う浅耕耘作業と深耕耘作業に対応させ、自動切換機構５０を介し土戻しカバー２を、土戻し姿勢と非土戻し姿勢とに自動的に切り換えるように構成した土戻しカバー構造は、耕耘装置１を昇降機構３ｂを介して上昇させ深耕耘作業から浅耕耘作業を行うと、土戻しカバー２は自動切換機構５０によって自動的に土戻し姿勢に切り換わるので、浅耕耘作業を簡単且つ速やかに行うことができる等の特徴がある。
【００２１】
【発明の効果】本発明は以上のように耕耘装置の土戻しカバー構造を構成したので、次のような効果を奏する。
走行機体に設けた昇降機構に装着され、ロータリの上方及び側方をロータリカバーで覆うと共に、該ロータリカバーの後部にリヤカバーを取付軸を介して上下回動可能に連設した耕耘装置において、前記リヤカバーの後部に取付軸を介して土戻しカバーを土戻し姿勢と非土戻し姿勢とに切換可能に設けると共に、該土戻し姿勢において土戻しカバーを耕起土面に対し略直角又はそれよりやや大きな鈍角状の掻寄せ角を形成するように構成したことにより、リヤカバーに対し土戻しカバーを着脱することなく土戻し姿勢と非土戻し姿勢とに簡単に切り換えることができ、浅耕耘作業及び深耕耘作業を能率よく行うことができる。
また土戻しカバーは土戻し姿勢において、その掻寄せ角によって土を掻寄せながら押し均すので、圃場面の轍跡等の凹溝部に掻寄せた土を供給して埋め戻すことができる。
【００２２】
また土戻しカバーを、耕耘装置の昇降に伴う浅耕耘作業と深耕耘作業に対応させ、土戻し姿勢と非土戻し姿勢とに自動的に切り換えるように構成したことにより、深耕耘作業から浅耕耘作業を行うとき、土戻しカバーは自動的に土戻し姿勢に切り換わるので、作業を簡単且つ速やかに行うことができる。
【００２３】
また土戻しカバーの側部に側板を設け、土戻しカバーの土戻し姿勢において、サイドカバーと側板を近接させることにより、ロータリで耕耘された耕起土の側方への飛散を防止し、土戻し作用を効率よく行うことができる。
【図面の簡単な説明】
【図１】本発明に係わる土戻しカバー構造を備えた耕耘装置の構成及び深耕耘作業の状態示す側面図である。
【図２】図１の耕耘装置の斜視図である。
【図３】図１の耕耘装置の浅耕耘作業を示す側面図である。
【図４】図３の耕耘装置の斜視図である。
【図５】固定具の構成を示す断面図である。
【図６】本発明の別実施形態に係わる耕耘装置の深耕耘作業を示す側面図である。
【図７】図６の耕耘装置の浅耕耘作業を示す側面図である。
【図８】土戻しカバーの自動切換機構の構成を示す断面図である。
【符号の説明】
１　　耕耘装置
２　　土戻しカバー
３　　走行機体（トラクタ）
３ｂ　昇降機構
１３　　ロータリ
１５　　ロータリカバー
１６　　サイドカバー
１７　　補助サイドカバー
１９　　取付軸
２０　　リヤカバー
２５　　側板
２７　　取付軸
α　　掻寄せ角
【図１】
2004073074.tif 000003
【図２】
2004073074.tif 000004
【図３】
2004073074.tif 000005
【図４】
2004073074.tif 000006
【図５】
2004073074.tif 000007
【図６】
2004073074.tif 000008
【図７】
2004073074.tif 000009
【図８】
2004073074.tif 000010